(57)【要約】【課題】弾性蛇腹を使用することにより、小型で、且つ操作性のよい足の大腿部および脛部の筋力の回復を図る足筋力回復用訓練装置を提供する。【解決手段】基板２に２個の弾性蛇腹１ａ・１ｂが間隔を有して固定され、且つ該各弾性蛇腹１ａ・１ｂは、連通パイプ３を介して連通されると共に、前記各弾性蛇腹１ａ・１ｂの上端面に、足の掛止手段４ａ・４ｂを設けて、足の屈伸運動と弾性蛇腹１ａ・１ｂの弾発操作と圧縮操作とを繰返すことができるよう形成する。【選択図】図１
2008178431.tif 000002
【特許請求の範囲】
【請求項１】
基板に２個の弾性蛇腹が間隔を有して固定され、且つ該各弾性蛇腹は、連通パイプを介して連通されると共に、前記各弾性蛇腹の上面に足の掛止手段を設けて形成されたことを特徴とする足筋力回復用訓練装置。
【請求項２】
基板に２個の弾性蛇腹が間隔を有して固定され、且つ該各弾性蛇腹は、連通パイプを介して連通されると共に、前記各弾性蛇腹の下方部にそれぞれ開閉弁を設け、更に、前記各弾性蛇腹の上面に足の掛止手段を設けて形成されたことを特徴とする足筋力回復用訓練装置。
【請求項３】
基板に２個の弾性蛇腹が間隔を有して固定されると共に、前記各弾性蛇腹の下方部にそれぞれ通気口を開口し、更に、前記各弾性蛇腹の上面に足の掛止手段を設けて形成されたことを特徴とする足筋力回復用訓練装置。
【請求項４】
基板に２個の弾性蛇腹が間隔を有して固定され、且つ該各弾性蛇腹は、連通パイプを介して連通されると共に、前記連通パイプには前記各弾性蛇腹へ交互に強制的に送気および排気をする送気・排気手段を備える一方、前記各弾性蛇腹の上面に足の掛止手段を設けて形成されたことを特徴とする足筋力回復用訓練装置。
【請求項５】
基板に２個の弾性蛇腹が間隔を有して固定され、且つ該各弾性蛇腹は、連通パイプを介して連通されると共に、前記連通パイプには前記各弾性蛇腹へ交互に強制的に送気および排気をする送気・排気手段を備える一方、前記各弾性蛇腹の下方部にそれぞれ開閉弁を設け、更に、前記各弾性蛇腹の上面に足の掛止手段を設けて形成されたことを特徴とする足筋力回復用訓練装置。
【発明の詳細な説明】
【技術分野】
【０００１】
本発明は、特に、足の大腿部および脛部の筋力の回復を図る足筋力回復用訓練装置に関するものである。
【背景技術】
【０００２】
従来、足、特に足の大腿部および脛部の筋力の回復を図る足筋力回復用訓練装置は、整形外科医院のリハビリテーション室にしか設置されておらず、またその訓練装置自体がその構造が複雑であると共に、かなり高価なものである。また、簡易な足筋力回復用訓練装置につき、過去の特許文献を遡及検索すると、下記の特許文献１に開示されたものが公知である。
【０００３】
【特許文献１】実開平５−４８９２８号公報
【発明の開示】
【発明が解決しようとする課題】
【０００４】
前記整形外科医院のリハビリテーション室で使用されている足筋力回復用訓練装置は、その構造が複雑であると共に、かなり高価であり、更にはその使用に当たっても理学療法士が当たらねばならず、患者自身が操作することができないという課題があった。
【０００５】
また、特許文献１に開示された簡易な足筋力回復用訓練装置は、２本のアクチュエータにレギュレータ、サーボバルブ等を介して圧縮空気を供給して、一方のアクチュエータが縮む際には、他方のアクチュエータが伸び、一方のアクチュエータが伸びる際には、他方のアクチュエータが縮むよう構成され、これによりワイヤを引張り、プレートを前方、または後方へスライドさせて膝部を屈伸させて、足筋力の回復訓練をするものであるが、人体の座部と踵部とを結ぶプレート、座部と膝部とを結ぶプレートおよび膝部と踵部とを結ぶプレートが必要であるため、構造が複雑で、その結果操作性が悪いという課題があった。
【０００６】
本発明は、前記課題を解決すべくなされたもので、弾性蛇腹を使用することにより、小型で、且つ操作性のよい足筋力回復用訓練装置を提供しようとするものである。
【課題を解決するための手段】
【０００７】
本発明は、基板に２個の弾性蛇腹が間隔を有して固定され、且つ該各弾性蛇腹は、連通パイプを介して連通されると共に、前記各弾性蛇腹の上面に足の掛止手段を設けて形成するという手段、または、
基板に２個の弾性蛇腹が間隔を有して固定され、且つ該各弾性蛇腹は、連通パイプを介して連通されると共に、前記各弾性蛇腹の下方部にそれぞれ開閉弁を設け、更に、前記各弾性蛇腹の上面に足の掛止手段を設けて形成するという手段、または、
基板に２個の弾性蛇腹が間隔を有して固定されると共に、前記各弾性蛇腹の下方部にそれぞれ通気口を開口し、更に、前記各弾性蛇腹の上面に足の掛止手段を設けて形成するという手段、または、
基板に２個の弾性蛇腹が間隔を有して固定され、且つ該各弾性蛇腹は、連通パイプを介して連通されると共に、前記連通パイプには前記各弾性蛇腹へ交互に強制的に送気および排気をする送気・排気手段を備える一方、前記各弾性蛇腹の上面に足の掛止手段を設けて形成するという手段、または、
基板に２個の弾性蛇腹が間隔を有して固定され、且つ該各弾性蛇腹は、連通パイプを介して連通されると共に、前記連通パイプには前記各弾性蛇腹へ交互に強制的に送気および排気をする送気・排気手段を備える一方、前記各弾性蛇腹の下方部にそれぞれ開閉弁を設け、更に、前記各弾性蛇腹の上面に足の掛止手段を設けて形成するという手段、
のいずれかを採用することにより、上記課題を解決した。
【発明の効果】
【０００８】
請求項１記載の発明によれば、２個の弾性蛇腹を用いて、該各弾性蛇腹に交互に空気を機械的手段等により、強制的に送気および排気することなく、前記弾性蛇腹の弾発性と圧縮性を利用して、使用者自身が仰臥した状態において、使用者自身の任意の強さ、速度回数等で足の屈伸運動を繰返すことにより、前記弾性蛇腹を弾発および圧縮させて足筋力を回復させることができる。
【０００９】
請求項２・３記載の発明によれば、２個の弾性蛇腹を用いて、該各弾性蛇腹に交互、または同時に空気を機械的手段等により、強制的に送気および排気することなく、前記弾性蛇腹の弾発性と圧縮性を利用して、使用者自身が仰臥した状態において、使用者自身の任意の強さ、速度回数等で足の屈伸運動を繰返すことにより、前記弾性蛇腹を弾発および圧縮させて足筋力を回復させることができる。
【００１０】
請求項４記載の発明によれば、２個の弾性蛇腹に交互に空気を強制的に送気および排気して、前記弾性蛇腹の弾発性と圧縮性を利用して、使用者が仰臥した状態において、前記各弾性蛇腹を弾発および圧縮させて、使用者が強制的に足の屈伸運動を繰返すことにより、足筋力を回復させることができる。
【００１１】
請求項５記載の発明によれば、２個の弾性蛇腹に交互、または同時に、空気を強制的に送気および排気することなく、前記弾性蛇腹の弾発性と圧縮性を利用して、使用者が仰臥した状態において、使用者自身の任意の強さ、速度回数等で足の屈伸運動を繰返すことにより、前記弾性蛇腹を弾発および圧縮させて足筋力を回復させることができる。
【実施例１】
【００１２】
本発明の実施例１を図面に基づいて詳細に説明する。図１は、本発明の実施例１の足筋力回復用訓練装置の一部を切欠いて示す平面図、図２は同使用状態を示す側面図である。
【００１３】
本発明の実施例１の足筋力回復用訓練装置は、２個の弾性蛇腹１ａ・１ｂを用いて、該各弾性蛇腹１ａ・１ｂに、交互に空気を機械的手段等により、強制的に送気および排気することなく、前記弾性蛇腹１ａ・１ｂの弾発性と圧縮性を利用して、使用者自身が仰臥した状態において、使用者自身の任意の強さ、速度回数等で足の屈伸運動を繰返すことにより、前記弾性蛇腹１ａ・１ｂを弾発および圧縮させて足筋力を回復させるようにしたものである。
【００１４】
すなわち、本発明の実施例１の足筋力回復用訓練装置は、基板２の上面部に２個の弾性蛇腹１ａ・１ｂを間隔を有して固定すると共に、該各弾性蛇腹１ａ・１ｂは、その下方部において連通パイプ３を介して連通されている。そして、前記各弾性蛇腹１ａ・１ｂの上面には、使用者の足の甲部分を掛止する掛止手段４ａ・４ｂを備えている。なお、前記掛止手段４ａ・４ｂは、足の甲部分を掛止することができるものであればよく、特に限定する必要はないが、好ましくは、図１に示す帯状のものを使用することが推奨される。
【００１５】
前記構成より成る足筋力回復用訓練装置は、例えば、図２に示すように、ベッド５の背板６の内側面に、前記基板２の下面部を固定して使用する。なお、本発明足筋力回復用訓練装置は、前記ベッド５の背板６以外の壁面（図示せず）等、任意の場所に固定可能であり、また固定手段は、図示していないが、接着剤、固定ベルト等、任意の固定手段を採用することができる。
【００１６】
本発明実施例１の足筋力回復用訓練装置の使用方法は、ベッド５上に使用者が仰臥し、両足の甲部分をそれぞれ弾性蛇腹１ａ・１ｂの各掛止手段４ａ・４ｂに掛止する。そして、使用者が任意の強さおよび速度または回数等で、足の屈伸運動をすることにより、一方の足で一方の弾性蛇腹１ａの弾発力に抗して該弾性蛇腹１ａを押圧して、一方の足を徐々に伸ばして行くと、弾性蛇腹１ａが図１・図２に示すように、徐々に圧縮されて行く。また、前記弾性蛇腹１ａが圧縮されて行くに従い、該弾性蛇腹１ａ内の空気は排気されて、連通パイプ３を通って他方の弾性蛇腹１ｂ内へ徐々に送気され、該他方の弾性蛇腹１ｂが徐々に弾発して行くと共に、他方の足を前記他方の弾性蛇腹１ｂが弾発して復元して行く速度に合わせて、足は徐々に屈曲して行く。
【００１７】
前記一方の弾性蛇腹１ａの弾発力に抗しての一方の足の伸長動作時に、一方の足の大腿部および脛部の筋肉が鍛錬されて、筋力が回復する。すなわち、一方の足が完全に伸びきったときは、一方の弾性蛇腹１ａは完全に圧縮した状態となると共に、他方の足が完全に屈曲したときは、他方の弾性蛇腹１ｂは完全に弾発した状態となる。
【００１８】
次に、前記とは逆に他方の足で他方の弾性蛇腹１ｂの弾発力に抗して該弾性蛇腹１ｂを押圧して、他方の足を徐々に伸ばして行くと、弾性蛇腹１ｂが徐々に圧縮されて行く。そして、前記弾性蛇腹１ｂが圧縮されて行くに従い、該弾性蛇腹１ｂ内の空気は排気されて、連通パイプ３を通って一方の弾性蛇腹１ａ内へ徐々に送気され、該一方の弾性蛇腹１ａが徐々に弾発して行くと共に、一方の足を前記一方の弾性蛇腹１ａが弾発して復元して行く速度に合わせて、足は徐々に屈曲して行く。
【００１９】
前記他方の弾性蛇腹１ｂの弾発力に抗しての他方の足の伸長動作時に、他方の足の大腿部および脛部の筋肉が鍛錬されて、筋力が回復する。すなわち、他方の足が完全に伸びきったときは、他方の弾性蛇腹１ｂは完全に圧縮した状態となると共に、一方の足が完全に屈曲したときは、一方の弾性蛇腹１ａは完全に弾発した状態となる。
【００２０】
そして、前記のように足の屈伸運動と弾性蛇腹１ａ・１ｂの弾発操作と圧縮操作とを繰返すことにより、足筋力の回復が可能となる。
【実施例２】
【００２１】
本発明の実施例２を図３に基づいて詳細に説明する。本発明の実施例２の足筋力回復用訓練装置は、実施例１の変型であって、図３に示すように、２個の弾性蛇腹１ａ・１ｂの下方部にそれぞれ開閉弁７ａ・７ｂを取付けたものである。
【００２２】
前記各開閉弁７ａ・７ｂを閉止して使用すると、前記実施例１と同一の作用および効果を奏するが、該各開閉弁７ａ・７ｂを開放すると、前記各開閉弁７ａ・７ｂより、いずれかの弾性蛇腹を圧縮すると空気が排気される。逆に、弾性蛇腹の圧縮を停止すると、弾性蛇腹が該弾性蛇腹側の開閉弁より空気を吸入して弾発して復元する。
【００２３】
本発明の実施例２の足筋力回復用訓練装置は、前記各開閉弁７ａ・７ｂを閉止すれば、実施例１と同一の使用方法も可能であるが、該各開閉弁７ａ・７ｂを開放することにより、一方の弾性蛇腹１ａが弾発すると共に、他方の弾性蛇腹１ｂが圧縮している状態において、一方の足で一方の弾性蛇腹１ａの弾発力に抗して該弾性蛇腹１ａを押圧して、一方の足を伸ばして行くと、前記弾性蛇腹１ａが一方の開閉弁７ａから空気を排気しながら徐々に圧縮されて行く。そして、他方の足を徐々に屈曲して行くと、前記他方の弾性蛇腹１ｂは他方の開閉弁７ｂより空気を吸入しながら徐々に弾発して復元して行く。
【００２４】
更に、実施例２においては、両方の足を同時に伸長および屈曲することも可能である。なお、実施例２におけるその他の作用および効果は実施例１と同一であるので説明を省略する。
【実施例３】
【００２５】
本発明の実施例３を図４に基づいて詳細に説明する。本発明の実施例３の足筋力回復用訓練装置は、実施例２の変型であって、図４に示すように、２個の弾性蛇腹１ａ・１ｂが連通パイプで連結されることなく、基板２の上面部に弾性蛇腹１ａ・１ｂが、それぞれ独立して固定されると共に、該各弾性蛇腹１ａ・１ｂの下方部にそれぞれ通気口８ａ・８ｂが開口されている。
【００２６】
すなわち、実施例３の足筋力回復用訓練装置は、前記弾性蛇腹１ａ・１ｂの弾発性と圧縮性を利用するものであり、足の伸長運動時に通気口８ａ、または８ｂより空気が排気されて弾性蛇腹１ａ、または１ｂが圧縮する。逆に、足の屈曲運動時に通気口８ａ、または８ｂより空気が流入して弾性蛇腹１ａ、または１ｂが弾発して復元する。
【００２７】
本発明の実施例３の足筋力回復用訓練装置は、実施例２と同様に両方の足を同時に伸長および屈曲することも可能である。そして、その他の作用および効果は、前記実施例１と同一であるので、説明を省略する。
【実施例４】
【００２８】
次に、本発明の実施例４を図面に基づいて詳細に説明する。図５は、本発明の実施例４の足筋力回復用訓練装置の一部を切欠いて示す平面図である。
【００２９】
本発明の実施例４の足筋力回復用訓練装置は、前記実施例１と異なり、２個の弾性蛇腹１１ａ・１１ｂに交互に空気を強制的に送気および排気して、前記弾性蛇腹１１ａ・１１ｂの弾発性と圧縮性を利用して、使用者が仰臥した状態において、前記各弾性蛇腹１１ａ・１１ｂを弾発および圧縮させて、使用者が強制的に足の屈伸運動を繰返すことにより、足筋力を回復させるようにしたものである。
【００３０】
すなわち、本発明の実施例４の足筋力回復用訓練装置は、基板１２の上面部に２個の弾性蛇腹１１ａ・１１ｂを間隔を有して固定すると共に、該各弾性蛇腹１１ａ・１１ｂは、その下方部において連通パイプ１３を介して連通されている。そして、前記各弾性蛇腹１１ａ・１１ｂの上面には、使用者の足の甲部分を掛止する掛止手段１４ａ・１４ｂを備えている。なお、前記掛止手段１４ａ・１４ｂは、前記実施例１と同様に、足の甲部分を掛止することができるものであればよく、特に限定する必要はないが、好ましくは、図５に示す帯状のものを使用することが推奨される。
【００３１】
更に、前記連通パイプ１３には、前記弾性蛇腹１１ａ・１１ｂへ交互に空気を強制的に送気および排気する送気・排気手段１５が備えられている。
【００３２】
前記送気・排気手段１５は、特に限定する必要はないが、好ましくは図５に示すような正・逆転モータ１６により正・逆回転するファン１７を備えたものが推奨される。
【００３３】
すなわち、送気・排気手段１５は、前記連通パイプ１３の中間部に配設されたボックス１８内に正・逆転モータ１６と連動して、正・逆回転するファン１７を装置すると共に、前記正・逆転モータ１６には、回転速度、作動時間、強・弱やタイマー設定をするコントローラ１９を備えて形成されている。
【００３４】
本発明実施例４の足筋力回復用訓練装置の使用方法は、ベッド５上に使用者が仰臥し、両足の甲部分をそれぞれ弾性蛇腹１１ａ・１１ｂの各掛止手段１４ａ・１４ｂに掛止する。そして、一方の弾性蛇腹１１ａが弾発していると共に、他方の弾性蛇腹１１ｂが圧縮されている状態において、使用者がコントローラ１９に備えられたスイッチ（図示せず）をＯＮすると、正・逆転モータ１６が作動して、ファン１７が回転する。なお、本発明実施例４の足筋力回復用訓練装置は、前記実施例１と同様、ベッド５の背板６以外の壁面（図示せず）等、任意の場所に固定可能であり、また固定手段は、図示していないが、接着剤、固定ベルト等、任意の固定手段を採用することができる。
【００３５】
前記弾性蛇腹１１ａ・１１ｂが図５に示す状態において、正・逆転モータ１６が正回転（時計方向）すると、ファン１７も正回転し、該ファン１７の正回転によって、一方の弾性蛇腹１１ａ内の空気が連通パイプ１３を通って排気されて、他方の弾性蛇腹１１ｂ内へ強制的に徐々に送気されることにより、一方の弾性蛇腹１１ａが徐々に圧縮して行って、一方の足が強制的に徐々に伸長して行くと共に、他方の弾性蛇腹１１ｂが徐々に弾発して行って、他方の足が強制的に徐々に屈曲して行く。
【００３６】
前記実施例１と同様に、実施例４においても、前記一方の弾性蛇腹１１ａの圧縮による一方の足の伸長動作時に、一方の足の大腿部および脛部の筋肉が鍛錬されて、筋力が回復する。すなわち、一方の足が完全に伸びきったときは、一方の弾性蛇腹１１ａは完全に圧縮した状態となると共に、他方の足が完全に屈曲したときは、他方の弾性蛇腹１１ｂは完全に弾発した状態となる。
【００３７】
そして、前記状態において、正・逆転モータ１６の正回転が停止した後、直ちにコントローラ１９の指令により、正・逆転モータ１６が逆回転（反時計方向）すると、ファン１７も逆回転し、該ファン１７の逆回転によって、他方の弾性蛇腹１１ｂ内の空気が連通パイプ１３を通って排気されて、一方の弾性蛇腹１１ａ内へ強制的に徐々に送気されることにより、他方の弾性蛇腹１１ｂが徐々に圧縮して行って、他方の足が強制的に徐々に伸長して行くと共に、一方の弾性蛇腹１１ａが徐々に弾発して行って、一方の足が強制的に徐々に屈曲して行く。
【００３８】
前記実施例１と同様に、実施例４においても、前記他方の弾性蛇腹１１ｂの収縮による他方の足の伸長動作時に、他方の足の大腿部および脛部の筋肉が鍛錬されて、筋力が回復する。すなわち、他方の足が完全に伸びきったときは、他方の弾性蛇腹１１ｂは完全に圧縮した状態となると共に、一方の足が完全に屈曲したときは、一方の弾性蛇腹１１ａは完全に弾発した状態となる。
【００３９】
そして、前記のように、強制的な弾性蛇腹１１ａ・１１ｂの弾発・圧縮作動を繰返すことにより、強制的に足の屈伸運動がなされ、足筋力の回復が可能となる。
【実施例５】
【００４０】
本発明の実施例５を図６に基づいて詳細に説明する。本発明の実施例５の足筋力回復用訓練装置は、実施例４の変型であって、図６に示すように、２個の弾性蛇腹１１ａ・１１ｂの下方部にそれぞれ開閉弁２０ａ・２０ｂを取付けたものである。
【００４１】
前記各開閉弁２０ａ・２０ｂを閉止して使用すると、前記実施例４と同一の作用および効果を奏するが、該各開閉弁２０ａ・２０ｂを開放すると、前記各開閉弁２０ａ・２０ｂより、いずれかの弾性蛇腹を圧縮すると空気が排気され、逆に弾性蛇腹の圧縮を停止すると、弾性蛇腹が該弾性蛇腹側の開閉弁より空気を吸入して弾発して復元する。
【００４２】
本発明の実施例５の足筋力回復用訓練装置は、前記各開閉弁２０ａ・２０ｂを閉止すれば、実施例４と同一の使用方法も可能であるが、該各各開閉弁２０ａ・２０ｂを開放することにより、一方の弾性蛇腹１１ａが弾発すると共に、他方の弾性蛇腹１１ｂが圧縮している状態において、一方の足で一方の弾性蛇腹１１ａの弾発力に抗して該弾性蛇腹１１ａを押圧して、一方の足を伸ばして行くと、前記弾性蛇腹１１ａが一方の開閉弁２０ａから空気を排気しながら徐々に圧縮されて行く。そして、他方の足を徐々に屈曲して行くと、前記他方の弾性蛇腹１１ｂは他方の開閉弁２０ｂより空気を吸入しながら徐々に弾発して復元して行く。
【００４３】
更に、実施例５においては、両方の足を同時に伸長および屈曲することも可能である。なお、実施例５におけるその他の作用および効果は実施例４と同一であるので説明を省略する。
【図面の簡単な説明】
【００４４】
【図１】本発明の実施例１の足筋力回復用訓練装置の一部を切欠いて示す平面図である。
【図２】同使用状態を示す側面図である。
【図３】本発明の実施例２の足筋力回復用訓練装置の一部を切欠いて示す平面図である。
【図４】本発明の実施例３の足筋力回復用訓練装置の一部を切欠いて示す平面図である。
【図５】本発明の実施例４の足筋力回復用訓練装置の一部を切欠いて示す平面図である。
【図６】本発明の実施例５の足筋力回復用訓練装置の一部を切欠いて示す平面図である。
【符号の説明】
【００４５】
１ａ・１ｂ      弾性蛇腹
２              基板
３              連通パイプ
４ａ・４ｂ      掛止手段
７ａ・７ｂ      開閉弁
８ａ・８ｂ      通気口
１１ａ・１１ｂ  弾性蛇腹
１２            基板
１３            連通パイプ
１４ａ・１４ｂ  掛止手段
１５            送気・排気手段
２０ａ・２０ｂ  開閉弁
【図１】
2008178431.tif 000003
【図２】
2008178431.tif 000004
【図３】
2008178431.tif 000005
【図４】
2008178431.tif 000006
【図５】
2008178431.tif 000007
【図６】
2008178431.tif 000008